(57)【要約】【課題】本発明は各種映像音響機器に使用される薄型のスピーカとその製造方法に関するものであり、対向する反撥磁気回路を用いるスピーカの組立ての煩雑差を解消しようとするものである。【解決手段】駆動コイル２０を有する振動板１８と、この振動板１８を介して同極対向するように配置された２つの磁気回路１３，１６から構成されるスピーカであって、少なくとも前記対向する２つの磁気回路１３，１６のマグネット１０，１４が平面上に投影したとき重ならない位置関係に配置したものであり、この構成とすることによりスピーカの組立て後の着磁を可能として、スピーカの組立てを容易に行なえるようにしたものである。【選択図】図１
2006173997.tif 000002
【特許請求の範囲】
【請求項１】
駆動コイルを形成した振動板と、この振動板を上下の略中央に挟持してなるフレームと、この振動板を挟んで同極対向するように配置された２つの磁気回路から構成されるスピーカであって、少なくとも前記対向する２つの磁気回路の夫々のマグネットが平面上に投影したとき重ならない位置関係に配置されているか、または、対向する２つの磁気回路のマグネットの異極が平面上に投影したときに、一部が重なる位置関係にマグネットが配置されているスピーカ。
【請求項２】
一方の磁気回路が内磁型磁気回路であり、振動板を介して対向する他方の磁気回路が外磁型磁気回路である請求項１に記載のスピーカ。
【請求項３】
請求項１または請求項２に記載のスピーカを磁化前のマグネットを用いて構成後、同一磁界内の着磁により２つの磁気回路が反撥磁気回路を構成するスピーカの製造方法。
【発明の詳細な説明】
【技術分野】
【０００１】
本発明は各種映像音響機器に使用される薄型のスピーカおよびこのスピーカの製造方法に関するものである。
【背景技術】
【０００２】
従来、スピーカにおいて、駆動コイルは振動板に対して上下方向に取り付けられ、磁気回路はこの駆動コイルが挿入される磁気ギャップを形成するためにプレート（またはヨーク）にマグネットを積み重ねた構成のものが用いられていた。
【０００３】
近年、スピーカが使用される機器においては、薄型、小型化が要求され、テレビジョン受像機においては、受像管が液晶ディスプレイやＰＤＰディスプレイとなり、携帯電話などにおいてはより小型、薄型の要請が強くなっている。
【０００４】
このような、要請に対応したスピーカとして以下のものが市場に提案されてきている。
【０００５】
この従来のスピーカについて図２の矩形型のスピーカの短径側断面図により説明する。
【０００６】
同図によると、１は矩形状の振動板であり、プラスチックのフィルムシートにより形成されている。２ａ，２ｂは矩形状の筐体であり、前記振動板１を上下動可能なようにエッジ部（図示せず）を介して周辺部を固着・支持している。３ａおよび４ａは前記振動板を挟んで対向して配置された板状の第１、第２のマグネットであり、ヨーク３ｂ，４ｂとで夫々第１の磁気回路３、第２の磁気回路４を形成するとともに、第１、第２のマグネット３ａ，４ａは前記振動板１の振動方向に平行で互いに逆方向となるように着磁され、第１の磁気回路３と第２の磁気回路４は反撥する、いわゆる反撥磁気回路を構成している。５は前記振動板１上に形成された駆動コイルである。
【０００７】
次にこのスピーカの動作について説明すると、第１と第２のマグネット３ａおよび４ａは逆方向に着磁されているために、それぞれから放射した磁束は反撥し、その結果磁束ベクトルはほぼ垂直に曲がり、振動方向に垂直な磁束で構成される磁場が形成されている。
【０００８】
次に駆動コイル５に外部から交流電気信号６（音声信号）を入力した場合、駆動コイル５上を流れる電流方向および振動板１の振動方向に垂直な磁束に比例するように、駆動力が発生する。この駆動力により駆動コイル５に接着されている振動板１は振動し、その振動は音として放射される。
【０００９】
なお、この出願の発明に関連する先行技術文献情報としては、例えば、特許文献１が知られている。
【特許文献１】特開２００４−３２６５９号公報
【発明の開示】
【発明が解決しようとする課題】
【００１０】
以上の従来のスピーカにおいては、振動板１を挟んで対向するマグネット３ａ，４ａの対向面は同極となる磁気回路３，４を使用するため、マグネット３ａ，４ａの磁化は夫々磁気回路３、磁気回路４ごとに、磁気前のマグネット３ａ，４ａを組み込んだ磁気回路３，４を夫々、着磁機に装着して磁化し、更にこれを、マグネット３ａ，４ａの反撥に抗して図２の如く組み込むものであり、スピーカの組立てが煩雑なものとなっていた。
【００１１】
本発明は、上記課題を解決するもので、組立て性に優れた反撥磁気回路を用いたスピーカを提供するものである。
【課題を解決するための手段】
【００１２】
上記課題を解決するために、本発明は以下の構成を有する。
【００１３】
本発明の請求項１に記載の発明は、駆動コイルを形成した振動板と、この振動板を上下の略中央に挟持してなるケースと、この振動板を挟んで同極対向するように配置された２つの磁気回路から構成されるスピーカであって、少なくとも前記対向する２つの磁気回路の夫々のマグネットが平面上に投影したとき重ならない位置関係に配置されているか、または、対向する２つの磁気回路のマグネットの異極が平面上に投影したときに、一部が重なる位置関係にマグネットが配置したものであり、スピーカを組立後、マグネットの磁化を行なえるので、スピーカ組立ての煩雑化を避け容易な組立てが可能となるものである。
【００１４】
本発明の請求項２に記載の発明は、請求項１に記載のスピーカの磁気回路の一方の磁気回路を内磁型磁気回路とし、他方の磁気回路を外磁型磁気回路としたものであり、スピーカの磁気回路として一般的な磁気回路である外磁型磁気回路および内磁型磁気回路などの特別な磁気回路やマグネットを用いることなく請求項１に記載のスピーカを安価に構成できるものである。
【００１５】
本発明の請求項３に記載の発明は、請求項１または請求項２に記載のスピーカを磁化前のマグネットを用いて構成後、着磁する製造方法であり、スピーカ組立後、着磁するので磁気回路に用いるマグネット間の反撥力による組立ての煩雑さを防止できるものである。
【発明の効果】
【００１６】
以上のように、本発明のスピーカは、２つの磁気回路の反撥磁界を用いたスピーカにおいて、マグネットを平面的に大部分が重ならないように配置したことにより、未着磁着のマグネットを用いてスピーカを組立後、着磁してスピーカの構成が行なえるので、スピーカの組立てが極めて容易となるものである。
【発明を実施するための最良の形態】
【００１７】
以下、本発明の実施の形態を図１、図２により説明する。
【００１８】
（実施の形態１）
以下、実施の形態１を用いて、本発明について説明する。図１（ａ）は本発明の一実施の形態の矩形状のスピーカの短径側の断面図であり、図１（ｂ）は同一部断面とした分解斜視図である。
【００１９】
同図によると、１０は第１のマグネットであり、棒状の一対の未着磁のフェライト、コバルト、ネオジウムなど既知の強磁性の磁石材料から形成されている。１１は突出したポールピース部１１ａを有する鉄などの磁性材料などからなる下部プレートであり、マグネット１０は前記下部プレート１１上に接着結合され、外磁型の第１の磁気回路１３を形成している。
【００２０】
１４は第２のマグネットであり、棒状の未着磁のフェライト、コバルト、ネオジウムなど既知の強磁性の磁石材料から形成されている。１５は側壁を有する鉄などの磁性材料などからなるヨークであり、ヨーク１５の底部に第２のマグネット１４を接着結合することで内磁型の第２の磁気回路１６を形成している。
【００２１】
１７は樹脂成形により形成された枠状のフレームであり、第１の磁気回路１３を接着や圧入またはインサート成形により固着・一体化を図っている。
【００２２】
１８は外周にエッジ部１８ａを設けた矩形状のプラスチックのフィルムからなる振動板であり、このエッジ部１８ａの外周を前記フレーム１７とこのフレーム１７と当接する枠状のプラスチック成型体である上フレーム１９で挟持している。
【００２３】
なお、前記振動板１８の挟持保持を確実にするために、フレーム１７と上フレーム１９との当接部分に接着剤を塗布する場合もある。
【００２４】
２０は前記振動板１８上に絶縁被覆線を多重巻にしてリング状に形成し、両端部から外部音声信号を入力する駆動コイルであり、前記振動板１８上に形成している。
【００２５】
この駆動コイル２０は前記振動板１８上に直接エッチングや印刷などの既知の方法で形成しても良い。また、これを前記振動板１８上に多層に形成することも可能である。
【００２６】
２１は音孔２１ａを天面に有する鉄の薄板よりなるカバーであり、前記振動板１８を介して第１の磁気回路１３と対向するように第２の磁気回路１６を保持している。
【００２７】
このカバー２１は開口端側の一部または全部を内方に折り曲げることで、第１の磁気回路１３、第２の磁気回路１６、駆動コイル２０を設けた振動板１８、フレーム１７および上フレーム１９を図１に示すように内蔵・保護するものである。
【００２８】
次に、スピーカ組立後の着磁による反撥磁界の形成について説明すると、まず、
（１）スピーカは第１のマグネット１０、第２のマグネット１４の着磁前の状態でスピーカの組立てを行なう。
【００２９】
（２）着磁機にスピーカをセッティングして着磁を行なう。
【００３０】
（３）このとき、同一磁界の中で着磁を行なうことで、第１のマグネット１０の振動板１８側をＳ極とする外磁型の第１の磁気回路１３を形成したときは、第２のマグネット１４は振動板１８側をＮ極とする内磁型の第２の磁気回路１６が形成されることになる。
【００３１】
以上のようにして構成されたスピーカは第１の磁気回路１３側の下部プレート１１のポールピース部１１ａの振動板１８側はＮ極となるので、従来技術と同様第１の磁気回路１３と第２の磁気回路１６は反撥磁界を形成することになる。
【００３２】
以上のように、本願のような反撥磁界を構成する２つの磁気回路を設けるスピーカにおいては、マグネットをスピーカに組み立てる前に着磁する必要があり、スピーカの組立てをマグネットの反撥力に抗して行なう必要があり、組立て自体を煩雑なものとしていたが、本実施形態においては、スピーカの組立て後にマグネットの着磁が行なえるのでスピーカの組立てを容易に行なうことができるものである。
【００３３】
なお、第１の磁気回路１３のマグネット１０と第２の磁気回路１６のマグネット１４が平面上に投影したとき重ならない位置関係とするのが望ましいが、図１に示すように、一部が重なったとしても着磁の時に両者が反撥磁界を構成可能程度の重なるものとして、小型化を優先することも可能である。
【００３４】
また、本実施の形態ではスピーカを矩形形状のものとして説明したが、円筒型のものでも良く、その場合は外磁型の第１の磁気回路１３の第１のマグネット１０はリング状となり、下部プレート１１は円板状でポールピース部１１ａは下部プレート１１上に円柱状のものとして一体に形成されることになる。
【００３５】
また、内磁型の第２の磁気回路１６の第２のマグネット１４も円柱状となり、ヨーク１５も外周に壁部を有する円板状となる。
【００３６】
またエッジ部１８ａを有する振動板１８も円板状となり、その上に形成される駆動コイル２０もリング状に形成されることになる。
【産業上の利用可能性】
【００３７】
本発明にかかるスピーカは、薄型のスピーカとして各種音響機器、各種電子機器や携帯端末器等の幅広い用途にも適用できる。
【図面の簡単な説明】
【００３８】
【図１】本発明のスピーカの一実施の形態の矩形のスピーカの短径方向の断面図と分解斜視図
【図２】従来のスピーカの短径方向の断面図
【符号の説明】
【００３９】
１０  第１のマグネット
１１  下部プレート
１３  第１の磁気回路
１４  第２のマグネット
１５  ヨーク
１６  第２の磁気回路
１７  フレーム
１８  振動板
１８ａ  エッジ部
１９  上フレーム
２０  駆動コイル
２１  カバー
【図１】
2006173997.tif 000003
【図２】
2006173997.tif 000004